(57)【要約】【課題】  物品視認者の視覚に訴える演出効果を高めることができる展示用物品の照明装置及びこれを備えた自動販売機を提供する。【解決手段】  照明対象としての光透過性部材からなる展示用物品Ｂを展示スペース８内で照明するための発光ダイオードランプ１９を備えた照明装置１において、展示用物品Ｂを保持し、かつ発光ダイオードランプ１９からの照明光を展示用物品側及び物品視認者側に導くための導光部材２０をさらに備え、導光部材２０には、展示用物品の受光面ｂを指向する第１光出射面２２Ａ及び物品視認者側に露出する第２光出射面２２Ｂからなる光出射面２２が設けられている。【選択図】    図１
2006331016.tif 000002
【特許請求の範囲】
【請求項１】
照明対象としての光透過性部材からなる展示用物品を展示スペース内で照明するための照明素子を備えた展示用物品の照明装置において、
前記展示用物品を保持し、かつ前記照明素子からの照明光を展示用物品側及び物品視認者側に導くための導光部材をさらに備え、
前記導光部材には、前記展示用物品の受光面を指向する第１光出射面及び物品視認者側に露出する第２光出射面からなる光出射面が設けられていることを特徴とする展示用物品の照明装置。
【請求項２】
前記導光部材は、前記展示用物品をその内部で保持する保持部を有する請求項１に記載の展示用物品の照明装置。
【請求項３】
前記照明素子は白色光放射用の発光ランプからなり、
前記導光部材は透明部材からなる請求項１又は２に記載の展示用物品の照明装置。
【請求項４】
前記導光部材における少なくとも前記展示用物品の受光面に対応する部位には、前記照明素子からの照明光を拡散するための拡散処理が施されている請求項１〜３のいずれかに記載の展示用物品の照明装置。
【請求項５】
前記照明素子は発光ダイオードランプからなる請求項１〜４のいずれかに記載の展示用物品の照明装置。
【請求項６】
前記導光部材には、その光導入面に開口する凹部が配設され、
前記凹部内には前記照明素子が配置されている請求項１〜５のいずれかに記載の展示用物品の照明装置。
【請求項７】
前記導光部材は、前記第１光出射面を前記展示用物品の受光面に密接させて配置されている請求項１〜６のいずれかに記載の展示用物品の照明装置。
【請求項８】
展示用物品を展示するための内部空間を有し、前記展示用物品に対応する販売用物品を払い出すための物品払出機構を内蔵する販売機本体と、
前記販売機本体内に配設され、前記展示用物品を照明する照明装置とを備えた自動販売機において、
前記照明装置は、請求項１〜７のいずれかに記載の照明装置であることを特徴とする自動販売機。
【発明の詳細な説明】
【技術分野】
【０００１】
本発明は、煙草や缶飲料等の展示用物品（商品見本）を照明するために用いて好適な展示用物品の照明装置及びこれを備えた自動販売機に関する。
【背景技術】
【０００２】
例えば、煙草や缶飲料等の物品は、商店の陳列棚等に陳列され、購買者に対して代金と引き換えに販売される。また、これら物品は、自動販売機内に多数個貯蔵され、購買者による代金投入後に１個ずつ販売される。
【０００３】
このような自動販売機は、購買者の目に止まるようにその表面色彩・装飾に工夫が施され、物品を広く宣伝したり、集客性を高めたりすることができるような場所に設置される。
【０００４】
ところで、自動販売機は、販売用物品のサンプル（合成樹脂製の商品見本）や写真等を展示する展示スペースとしての内部空間を物品視認者（購買者）の視認し易いような位置に配置されている。そして、夜間には照明装置を点灯してサンプル（展示用物品）や写真等を照明し、販売用物品の内容についても購買者等に認識され易いような工夫が施されている。
【０００５】
従来、この種自動販売機の照明装置には、サンプル上側及びサンプル背面側から展示用物品を照明する照明素子を備えたものが提案されている（例えば特許文献１）。この場合、展示用物品はサンプル台上や背面板等に取り付けられている。
【０００６】
このような展示用物品の照明装置においては、照明素子が点灯すると、この点灯光が展示用物品の表面及びその周辺が照明される。
【特許文献１】特開２００３−３３０３９５号公報
【発明の開示】
【発明が解決しようとする課題】
【０００７】
しかし、特許文献１によると、展示用物品を展示スペース内のサンプル台上に密接して取り付けるものであるため、展示自体に斬新性がなく、物品視認者の視覚に訴える演出効果を高めることができないという問題があった。
【０００８】
従って、本発明の目的は、展示用物品の斬新な展示性を得ることができ、もって物品視認者の視覚に訴える演出効果を高めることができる展示用物品の照明装置及びこれを備えた自動販売機を提供することにある。
【課題を解決するための手段】
【０００９】
（１）本発明は、上記目的を達成するために、照明対象としての光透過性部材からなる展示用物品を展示スペース内で照明するための照明素子を備えた展示用物品の照明装置において、前記展示用物品を保持し、かつ前記照明素子からの照明光を展示用物品側及び物品視認者側に導くための導光部材をさらに備え、前記導光部材には、前記展示用物品の受光面を指向する第１光出射面及び物品視認者側に露出する第２光出射面からなる光出射面が設けられていることを特徴とする展示用物品の照明装置を提供する。
【００１０】
（２）本発明は、上記目的を達成するために、展示用物品を展示するための内部空間を有し、前記展示用物品に対応する販売用物品を払い出すための物品払出機構を内蔵する販売機本体と、前記販売機本体内に配設され、前記展示用物品を照明する照明装置とを備えた自動販売機において、前記照明装置は、上記（１）に記載の照明装置であることを特徴とする自動販売機を提供する。
【発明の効果】
【００１１】
本発明によると、展示用物品の斬新な展示性を得ることができ、物品視認者の視覚に訴える演出効果を高めることができる。
【発明を実施するための最良の形態】
【００１２】
[第１の実施の形態]
図１は、本発明の第１の実施の形態に係る展示用物品の照明装置を備えた自動販売機の全体を示す正面図である。図２は、本発明の第１の実施の形態に係る展示用物品の照明装置を備えた自動販売機の全体を示すブロック図である。図３は、本発明の第１の実施の形態に係る展示用物品の照明装置を説明するために示す図である。図３（ａ）は、展示用物品の内部構造を背面側から見た断面図である。図３（ｂ）は、同じく展示用物品の内部構造を側面側から見た断面図である。
【００１３】
〔自動販売機の全体構成〕
図１において、符号１で示す自動販売機は、煙草等の販売用物品（図１では煙草）を販売するための販売機本体２と、販売用物品に対応する照明対象としての展示用物品Ｂを照明する照明装置３（図２及び図３に示す）とから大略構成されている。
【００１４】
展示用物品Ｂは、図３（ａ）及び（ｂ）に示すように、一方（図３では下方）に開口し、販売用物品を示す情報が表面に印刷表示されたプラスチック製の光透過性部材からなる角筒によって形成されている。なお、展示用物品Ｂとしては、角筒の表面に印刷表示する代わりに、その印刷表示内容と同一の情報が表示されたシールを貼付したものでもよい。また、販売用物品には、煙草の他に缶飲料やカップ麺等が用いられる。
【００１５】
（販売機本体２の構成）
販売機本体２は、図２に示すように、外装体としての筐体４と、この筐体４内（貯蔵部）に貯蔵する販売用物品を代金と引き換えに外部に払い出すための物品払出ユニット（物品払出機構）５と、この物品払出ユニット５及び照明装置３を駆動制御する制御ユニット６とを備えている。
【００１６】
＜筐体４の構成＞
筐体４は、図１に示すように、前方に開口する箱体４Ａ及び箱体４Ａの前方開口部を開閉する扉体４Ｂを有し、全体が略矩形箱によって形成されている。
【００１７】
箱体４Ａ内には、照明装置３及び物品払出ユニット５・制御ユニット６等を収容するための収容空間（図示せず）が形成されている。扉体４Ｂは、箱体４Ａに回動自在に枢支されている。
【００１８】
扉体４Ｂの前面上部には前面上部カバーとしての透明パネル７が配設されている。透明パネル７の背面部と筐体４の前面部との間には、展示用物品Ｂを展示するための展示スペース（内部空間）８が形成されている。展示スペース８内には、上下方向に所定の間隔をもって並列する３つのサンプル台９が配設されている。サンプル台９の前面部には、外部に露出する複数の選択用押釦１０Ａを有する操作パネル１０及び販売用物品の情報（価格等）を表示する表示パネル１１が配設されている。
【００１９】
扉体４Ｂの前面下部には、販売用物品の代金としての紙幣・硬貨が購買者によってそれぞれ挿入・投入される紙幣挿入口１２・硬貨投入口１３と、釣銭を返却するための釣銭返却口１４と、購買者が販売用物品を取り出すためのフラッパ付きの物品取出口１５（フラッパは図示せず）とが配設されている。また、扉体４Ｂの前面下部には、紙幣挿入口１２・硬貨投入口１３に挿入・投入された紙幣・硬貨を購買者の操作によって返却するための返却レバー１６と、釣銭切れや挿入紙幣・投入硬貨に関する情報を表示するＬＣＤ（Liquid Crystal Display）等の表示器１７と、扉体４Ｂの開動作をロック状態とするためのドアロック１８とが取り付けられている。
【００２０】
＜物品払出ユニット５の構成＞
物品払出ユニット５は、図２に示すように、販売用物品を貯蔵する物品貯蔵部（図示せず）を有し、箱体４Ａの収容空間に複数個収容され、かつ制御ユニット６に接続されている。そして、紙幣挿入口１２・硬貨投入口１３に対する紙幣・硬貨の挿入・投入による代金と引き換えに販売用物品を払い出すように構成されている。
【００２１】
<制御ユニット６の構成>
制御ユニット６は、図２に示すように、挿入紙幣及び投入硬貨を処理して貨幣処理信号及び釣銭処理信号を発生する貨幣・釣銭処理装置（図示せず）を有し、物品払出ユニット５と同様に箱体４Ａの収容空間に収容されている。
【００２２】
（照明装置３の構成）
照明装置３は、図３（ａ）及び（ｂ）に示すように、展示用物品Ｂを展示スペース８内で照明するための照明素子としての３個の発光ダイオードランプ１９と、これら発光ダイオードランプ１９からの照明光を展示用物品側及び物品視認者側に導くための導光部材２０とを備え、展示スペース８内に配置され、かつ制御ユニット６に接続されている。
【００２３】
<発光ダイオードランプ１９の構成>
３個の発光ダイオードランプ１９は、それぞれ青色光を放射する発光ダイオード（Light Emitting Diode：ＬＥＤ）素子と、この発光ダイオード素子からの放射光を受けて励起されることにより黄色の波長変換光を放射する蛍光体層とからなり、かつサンプル台９内に販売機本体２の幅方向に所定の間隔をもって並列配置され、かつ素子搭載基板２１上に実装されている。そして、照明光として白色光を放射するように構成されている。
【００２４】
<導光部材２０の構成>
導光部材２０は、展示用物品Ｂをその内部で保持する保持部２０Ａを有し、素子搭載基板２１上に実装され、全体がＰＣ（ポリカーボネート）樹脂からなる透明部材によって形成されている。そして、発光ダイオードランプ１９からの白色光を周辺空気層との界面で反射しつつ、発光ダイオードランプ搭載側と反対側に進行して展示用物品側及び物品視認者側に導光するようにように構成されている。導光部材２０の材料としては、ＰＣ樹脂の他にＰＭＭＡ（ポリメタクリル酸メチル）樹脂等の透明プラスチックが用いられる。
【００２５】
導光部材２０の前面部には、図３（ｂ）に示すように、展示用物品Ｂにおける受光面ｂの縦横面積と略同一の縦横面積をもち、かつ展示用物品Ｂの受光面（被照明領域）ｂを指向する第１光出射面２２Ａ及び物品視認者側に露出する第２光出射面２２Ｂからなる光出射面２２が設けられている。これにより、各発光ダイオードランプ１９からの放射光が導光部材２０を介して展示用物品側及び物品視認者側に出射される。この場合、第１光出射面２２Ａからの出射光が展示用物品側に、また第２光出射面２２Ｂからの出射光が物品視認者側にそれぞれ放射される。
【００２６】
導光部材２０の背面には、第１光出射面２２Ａに対応する部位に白色塗料でドット印刷処理を施すことにより縦横方向に並列する多数の反射部（拡散部）２０Ｂが設けられている。これにより、導光部材２０内に導入された各発光ダイオードランプ１９からの放射光が拡散部２０Ｂで反射して拡散されるため、これら反射光（拡散光）が第１光出射面２２Ａから均一な光分布状態で出射される。
【００２７】
導光部材２０の上面及び背面・側面（界面）であって、第１光出射面２２Ａに対応する部位には反射シート２３が貼付されている。これにより、導光部材２０内に導入された各発光ダイオードランプ１９からの放射光が反射シート２３で反射されて光出射面２２から出射される。このため、光出射面２２から出射される照明光量を増加させることができ、光利用効率を高めることができる。なお、導光部材２０には、反射シート２３を貼付する代わりに白色塗料等を印刷してもよい。
【００２８】
導光部材２０には、その下面（光導入面）に開口し、かつ発光ダイオードランプ１９を収容可能な断面半円形状の３つないし複数の凹部２４が設けられている。これら３つないし複数の凹部２４内にはそれぞれ発光ダイオードランプ１９が配置されている。これにより、発光ダイオードランプ１９からの放射光が導光部材２０内に導入され易くなり、導光部材２０に対する放射光の導入量を増加させることができる。
【００２９】
〔照明装置３の動作〕
各発光ダイオードランプ１９に電源から電圧が印加されると、各発光ダイオードランプ１９から照明光として白色光が放射される。次に、これら白色光が凹部２４の内面から導光部材２０内に導入され、導光部材２０内を反射しながら上方に進行する。この場合、導光部材２０内において、第１光出射面２２Ａに対応する領域では、白色光が反射部（拡散部）２０Ｂ及び反射シート２３で反射を繰り返して導光部材２０内で拡散され、第１光出射面２２Ａから展示用物品側に出射される。また、第２光出射面２２Ｂに対応する領域では、白色光が導光部材２０と周辺空気層との界面で反射を繰り返して上方に進行するとともに、第２光出射面２２Ｂから物品視認者側に出射される。
【００３０】
[第１の実施の形態の効果]
以上説明した第１の実施の形態によれば、次に示す効果が得られる。
【００３１】
（１）第１光出射面２２Ａからの出射光が展示用物品側に、また第２光出射面２２Ｂからの出射光が物品視認者側にそれぞれ放射されるため、物品視認者側からは展示用物品Ｂが展示スペース８内で浮いたような状態で視認される。この場合、第２光出射面２２Ｂに対応する領域にはドット印刷が施されておらず、また反射シートが貼付されておらず、このため導光部材２０のランプ近傍領域が透明であることから、この領域を介して導光部材２０の背景が一層明瞭に視認される。これにより、展示用物品Ｂの斬新な展示性を得ることができ、物品視認者の視覚に訴える演出効果を高めることができる。
【００３２】
（２）導光部材２０によって展示用物品Ｂを保持する構造であるため、導光部材２０の下方に発光ダイオードランプ１９を配置することができる。このため、展示用スペース８を形成するサンプル台や背面板等に対して従来必要とした展示用物品の取り付けや照明素子の配線が不要になり、展示用部品Ｂの取付作業及び照明素子の配線作業の簡素化を図ることができる。
【００３３】
（３）展示用部品Ｂをその内部で照明装置３によって照明し、かつ背面側の反射シートで背面（外部）からの光を遮断するため、展示スペース８内の装飾のために仮に他の発光素子を用いて展示用物品Ｂの背面側で発光させることがあっても、この発光による影響を受けず、良好な展示照明を得ることができる。
【００３４】
[第２の実施の形態]
図４は、本発明の第２の実施の形態に係る展示用物品の照明装置を説明するために示す断面図である。図４において、図３（ｂ）と同一の部材については同一の符号を付し、詳細な説明は省略する。
【００３５】
図４に示すように、第２の実施の形態に示す照明装置４１は、導光部材２０が第１光出射面２２Ａを展示用物品Ｂの受光面ｂに密接させて配置されている点に特徴がある。
【００３６】
このため、導光部材２０の下方には、発光ダイオードランプ１９を搭載する素子搭載基板１６が物品視認者側に接近して配設されている。
【００３７】
[第２の実施の形態の効果]
以上説明した第２の実施の形態によれば、第１の実施の形態の効果（１）〜（３）に加え、次に示す効果が得られる。
【００３８】
第１光出射面２２Ａから出射される照明光が展示用物品Ｂと導光部材２０との間から漏洩せず、このため展示用物品Ｂを照明する光量を増加させることができ、光利用効率を高めることができる。
【００３９】
[第３の実施の形態]
図５は、本発明の第３の実施の形態に係る展示用物品の照明装置を説明するために示す図である。図５（ａ）は、縦方向寸法が比較的大きい導光部材による展示用物品の保持状態を示す断面図である。図５（ｂ）は、縦方向寸法が比較的小さい導光部材による展示用物品の保持状態を示す断面図である。図５において、図３（ａ）と同一又は同等の部材については同一の符号を付し、詳細な説明は省略する。
【００４０】
図５（ａ）及び（ｂ）に示すように、第３の実施の形態に示す照明装置５１は、各サイズ（縦方向寸法）が互いに異なる複数種（実施の形態では２種）の展示用物品Ｂに対応する導光部材５２を備えた点に特徴がある。
【００４１】
このため、導光部材５２の背面には、光出射面２２全体に対応する部位に白色塗料でドット印刷処理を施すことにより縦横方向に並列する反射部（拡散部）５２Ａが設けられている。
【００４２】
[第３の実施の形態の効果]
以上説明した第３の実施の形態によれば、第１の実施の形態の効果（１）〜（３）に加え、次に示す効果が得られる。
【００４３】
各サイズ（縦方向寸法）が互いに異なる複数種の展示用物品Ｂを展示する場合、共通の導光部材２０によって展示用物品Ｂを選択的に保持することができ、部品点数の削減によるコストの低廉化を図ることができる。この場合、各発光ダイオードランプ１９からの放射光が拡散部５２Ａ及び反射シート２３で反射して導光部材２０内で拡散されるため、これら反射光（拡散光）が光出射面２２（第１光出射面２２Ａ及び第２光出射面２２Ｂ）から均一な光分布状態で出射され、複数種の展示用物品Ｂに対して良好な展示照明を選択的に得ることができる。
【００４４】
以上、本発明の展示用物品の照明装置（自動販売機）を上記の実施の形態に基づいて説明したが、本発明は上記の実施の形態に限定されるものではなく、その要旨を逸脱しない範囲で種々の態様において実施することが可能であり、例えば次に示すような変形も可能である。
【００４５】
（１）各実施の形態では、反射部（拡散部）２０Ｂ，５２Ａの形成が導光部材２０，５２の背面に白色塗料でドット印刷処理を施すことにより得られる場合について説明したが、本発明はこれに限定されず、例えばシボ加工やエッチング加工によって反射部（拡散部）を導光部材に設けても差し支えない。すなわち、導光部材内に導入された照明光が第１光出射面２２Ａから均一な光分布状態で出射されるために、導光部材における少なくとも展示用物品に対応する部位に拡散処理が施されていればよい。
【００４６】
（２）各実施の形態では、発光ダイオードランプ１９から照明光として白色光を放射するために、発光ダイオード素子からの放射光（青色光）を受けて励起されることにより黄色の波長変換光を放射する蛍光体層を有する発光ダイオードランプである場合について説明したが、本発明はこれに限定されず、発光ダイオード素子から放射される放射光（紫色光：波長３７０〜３９０ｎｍ）を受けて励起されることにより白色の励起光を放射する蛍光体層を有する発光ダイオードランプであってもよい。また、蛍光体層を用いず、Ｒ（赤）色及びＧ（緑）色・Ｂ（青）色３種の発光ダイオード素子を有する発光ダイオードランプとしても勿論よい。
【００４７】
（３）各実施の形態では、展示用物品Ｂがプラスチック製の角筒によって形成されている場合について説明したが、本発明はこれに限定されず、例えば紙製の円筒であってもよく、その材質及び形状は展示用物品等に応じて適宜変更することができる。
【図面の簡単な説明】
【００４８】
【図１】本発明の第１の実施の形態に係る展示用物品の照明装置を備えた自動販売機の全体を示す正面図である。
【図２】本発明の第１の実施の形態に係る展示用物品の照明装置を備えた自動販売機の全体を示すブロック図である。
【図３】本発明の第１の実施の形態に係る展示用物品の照明装置を説明するために示す断面図である。
【図４】本発明の第２の実施の形態に係る展示用物品の照明装置を説明するために示す断面図である。
【図５】（ａ）及び（ｂ）は、本発明の第３の実施の形態に係る展示用物品の照明装置を説明するために示す断面図である。
【符号の説明】
【００４９】
１…自動販売機、２…販売機本体、３，４１，５１…照明装置、４…筐体、４Ａ…箱体、４Ｂ…扉体、５…物品払出ユニット、６…制御ユニット、７…透明パネル、８…展示スペース、９…サンプル台、１０…操作パネル、１０Ａ…選択用押釦、１１…表示パネル、１２…紙幣挿入口、１３…硬貨投入口、１４…釣銭返却口、１５…物品払出口、１６…返却レバー、１７…表示器、１８…ドアロック、１９…発光ダイオードランプ、２０，５２…導光部材、２０Ａ…保持部、２０Ｂ，５２Ａ…反射部（拡散部）、２１…素子搭載基板、２２…光出射面、２２Ａ…第１光出射面、２２Ｂ…第２光出射面、２３…反射シート、Ｂ…展示用物品
【図１】
2006331016.tif 000003
【図２】
2006331016.tif 000004
【図３】
2006331016.tif 000005
【図４】
2006331016.tif 000006
【図５】
2006331016.tif 000007